(57)【要約】      （修正有）【課題】コネクタを壁面などに直接的据え付けすることができ、光ケーブルの配線接続作業を容易にした信頼性のあるコネクタ収納ケースを低コストで提供する。【解決手段】壁面固定手段のネジ取付孔１１を両側に備えたケース本体１に、他のコネクタ収納ケースのケース本体１を係脱する連接部１２を設けたカバー体２を着脱自在に被覆装着したものから構成され、アダプタａを着脱自在に収納するアダプタ収納部２と、該アダプタａに接続されるコネクタｂを着脱自在に収納するコネクタ収納部４と、該コネクタｂに接続する光ケーブルｃを導出入する光ケーブル導出入部５とをケース本体１に配列形成してあり、該ケース本体１の両側に形成した位置決め用の嵌挿用ガイド凹部６にカバー体２を着脱自在に被覆装着してケース本体１内のアダプタａとコネクタｂとを前記光ケーブル導出入部５内の光ケーブルｃとともに拘持されるようにした。【選択図】図１
2010091901.tif 000002
【特許請求の範囲】
【請求項１】
アダプタを着脱自在に収納するアダプタ収納部と、該アダプタに接続されるコネクタを着脱自在に収納するコネクタ収納部と、該コネクタに接続する光ケーブルを導出入する光ケーブル導出入部とをケース本体に形成し、該ケース本体に壁面固定手段を備えると共に、前記ケース本体に形成した嵌挿用ガイド凹部にカバー体を着脱自在に被覆装着してケース本体内のアダプタとコネクタとを前記光ケーブル導出入部とともに拘持し、該カバー体に他のコネクタ収納ケースのケース本体を係脱する連接部を設けたことを特徴とするコネクタ収納ケース。
【請求項２】
請求項１に記載のコネクタ収納ケースにおいて、前記ケース本体の光ケーブル導出入部が、テーパー状に外側に向かって隙間が漸増する対向湾曲面を有し、該対向湾曲面によって光ケーブル導出入部に通過する光ケーブルを把持することを特徴とするコネクタ収納ケース。
【請求項３】
請求項１または請求項２に記載のコネクタ収納ケースにおいて、前記ケース本体が、断面略Ｕ字状にプラスチックにより形成され、その底面に弾性的に変曲する舌片状の係止部材を持った連結部を一体成形し、該係止部材を前記カバー体に形成したポケット状の係止受け部に係脱自在に嵌合保持するスライド式着脱構成としたことを特徴とするコネクタ収納ケース。
【請求項４】
請求項３に記載のコネクタ収納ケースにおいて、前記ケース本体に設けた壁面固定手段が壁面取付用ネジ孔の取付部、或いは鉄材面に吸着する磁石からなることを特徴とするコネクタ収納ケース。
【請求項５】
請求項３または請求項４に記載のコネクタ収納ケースにおいて、前記カバー体が前記ケース本体の表面開口部を被覆するプラスチック材により断面逆Ｕ字状に形成した蓋体であって、ケース本体に設けたガイド凹部に嵌挿係脱できケース本体を拘持定着したことを特徴とするコネクタ収納ケース。
【請求項６】
請求項４または請求項５に記載のコネクタ収納ケースにおいて、前記カバー体が前記ケース本体のアダプタ収納部を被覆する凹部を一端に有し、両端に突設した位置決めフランジ片を備え、該位置決めフランジ片を前記ケース本体の両側に設けた係止凹部に係脱自在に係合することを特徴とするコネクタ収納ケース。
【発明の詳細な説明】
【技術分野】
【０００１】
本発明は、事務所、工場、一般住宅の家屋、その他の建物などの屋内に配線される各種高速通信サービスを提供する通信回線用の光ファイバケーブル（以下光ケーブルという）を布設する際に利用される端末引き込み用の接続部であるコネクタを壁面、床面またはその他の家具面などに直接的据え付けるためのコネクタ収納ケースで、光通信用端末機器との接続後の光ケーブル配置処理を安全に行うことができるコネクタ収納ケースに関するものである。
【背景技術】
【０００２】
一般に、建物の屋内では屋内配線により壁面に導入された光ケーブルに、その屋内で使用される光通信用端末機器類が接続されてインターネットなどの情報通信、電話回線、ケーブルテレビその他の通信回線を利用することができるが、光通信端末機器の設置に際してコネクタを備えた光ケーブル接続箱を用いて配線接続をすることが多く、狭隘な個所や小さなスペース部分に光ケーブル接続箱を据え付けられない場合には接続部を直接固定せざるを得ない場合、配線ケーブルは光通信の特性、特に光ファイバケーブルの信号伝送特性を十分に満足させることが配慮されなければならない。
【０００３】
ところが、従来でのオフィスや住居などの屋内における光通信端末機器の配置は様々で、作業性の簡便化のためにコネクタを用いて接続されることが多く、サービス提供エリア内での高速通信サービスの加入先に対する光ケーブルの引き込み作業では、ドロップケーブルの一端に予め装着してあるコネクタをアダプタにコネクタ接続し、このアダプタに端末機器類に接続されたコネクタをコネクタ接続する接続作業を行うことが知られている。  この出願の発明に関する先行技術文献情報としては次のものがある。
光ファイバ接続切替え装置１は、図示しない伝送装置と接続された所内光ケーブル２から延び出た複数本の所内光ファイバ心線３と加入者側と接続された所外光ファイバ心線５とを切り替え可能に接続するもので、・・・（中略）・・・所内光ファイバ心線３が接続される光コネクタアダプタ２０が設けられ、所外光ファイバ心線５が接続される光コネクタアダプタ２１がモジュール１７，１７Ａ，１８に設けられコネクタ接続可能であることが図示例で開示されている。（例えば特許文献１参照）  
【０００４】
【特許文献１】特開２００１−２２１９６４号公報（明細書の段落〔００１４〕及び〔００１９〕〜〔００２３〕並びに図面図３〜図５）
【発明の開示】
【発明が解決しようとする課題】
【０００５】
しかしながら、従来の配線作業工程での光ファイバ接続切替え装置や光ケーブル接続箱などを用いて配線接続をすることが、狭隘な個所や小さなスペース部分に設置できない場合には、接続部のコネクタを直接固定せざるを得ないために光テープ（両面接着テープ）を用いてコネクタを壁面などに直接的据え付けすることになるが、両面テープは長期使用には劣化によってコネクタの固定維持が難しく光ケーブル配線に不都合が生じ、光通信の特性を満足することができず、光通信損失があって端末処理に適合しないことにもなるし、端末機器の配置転換や保守修理など、また配線都合や移動や増設ごとその都度配線工事をすることが必要となって面倒であるばかりでなく、光信号損失がないように安全に利用することの信頼性がないし、ケーブルの配線上でも体裁も悪いなど問題があった。    
【０００６】
本発明では、これら従来の欠点を排除しようとするもので、コネクタを壁面などに直接的据え付けすることができ、コネクタ固定維持の長期使用に信頼性があってコネクタによる接続部の保護を確実にし、安全性をも大幅に高めるほかコネクタ収納ケースの連接固定が可能で光ケーブルの配線接続作業を容易にし、光ケーブルの配置処理をも安全に行うことができ、光通信の特性を十分満足でき、配線工事での工数も少なくコネクタおよび光ケーブルの定着性も強固にできて、光通信端末機器類への接続配線取扱いも著しく簡便化でき、配線工事の適正化にも役立って信頼性のあるコネクタ収納ケースを低コストで提供することを目的としている。  
【課題を解決するための手段】
【０００７】
本発明は、上記課題を解決するため、請求項１の発明は、アダプタを着脱自在に収納するアダプタ収納部と、該アダプタに接続されるコネクタを着脱自在に収納するコネクタ収納部と、該コネクタに接続する光ケーブルを導出入する光ケーブル導出入部とをケース本体に形成し、該ケース本体に壁面固定手段を備えると共に、前記ケース本体に形成した嵌挿用ガイド凹部にカバー体を着脱自在に被覆装着してケース本体内のアダプタとコネクタとを前記光ケーブル導出入部とともに拘持し、該カバー体に他のコネクタ収納ケースのケース本体を係脱する連接部を設けたことを特徴とするコネクタ収納ケースである。    
【０００８】
請求項２の発明では、請求項１に記載のコネクタ収納ケースにおいて、ケース本体の光ケーブル導出入部が、テーパー状に外側に向かって隙間が漸増する湾曲対向面を有し、該対向面によって光ケーブル導出入部に通過する光ケーブルを把持することを特徴とするコネクタ収納ケースである。
【０００９】
さらに請求項３の発明では、請求項１または請求項２に記載のコネクタ収納ケースにおいて、前記ケース本体が、断面略Ｕ字状にプラスチックにより形成され、その底面に弾性的に変曲する舌片状の係止部材を持った連結部を一体成形し、該係止部材を前記カバー体に形成したポケット状の係止受け部に係脱自在に嵌合保持するスライド式着脱構成とし複数のコネクタ収納ケースを連接できることを特徴とするコネクタ収納ケースである。  
【００１０】
また、請求項４の発明は、請求項３に記載のコネクタ収納ケースにおいて、前記ケース本体に設けた壁面固定手段が壁面取付用ネジ孔の取付部、或いは鉄材面に吸着する磁石からなることを特徴とするコネクタ収納ケースである。
【００１１】
請求項５の発明は、請求項３または請求項４に記載のコネクタ収納ケースにおいて、前記カバー体が前記ケース本体の表面開口部を被覆するプラスチック材により断面逆Ｕ字状に形成した蓋体であって、ケース本体に設けたガイド凹部に嵌挿係脱できケース本体を拘持定着したことを特徴とするコネクタ収納ケースである。
【００１２】
さらにまた、請求項６の発明では、請求項４または請求項５に記載のコネクタ収納ケースにおいて、前記カバー体が前記ケース本体のアダプタ収納部を被覆する凹部を一端に有し、両端に突設した位置決めフランジ片を備え、該位置決めフランジ片を前記ケース本体の両側に設けた係止凹部に係脱自在に係合することを特徴とするコネクタ収納ケースである。
【発明の効果】
【００１３】
請求項１の発明では、アダプタを着脱自在に収納するアダプタ収納部と、該アダプタに接続されるコネクタを着脱自在に収納するコネクタ収納部と、該コネクタに接続する光ケーブルを導出入する光ケーブル導出入部とをケース本体に形成し、該ケース本体に壁面固定手段を備えると共に、前記ケース本体に形成した嵌挿用ガイド凹部にカバー体を着脱自在に被覆装着してケース本体内のアダプタとコネクタとを前記光ケーブル導出入部とともに拘持し、該カバー体に他のコネクタ収納ケースのケース本体を係脱する連接部を設けたことにより、コネクタ固定維持の長期使用に信頼性があってコネクタによる接続部の保護を確実にし、安全性をも大幅に高めるほかコネクタ収納ケースの連接固定が可能で光ケーブルの配線接続作業を容易にし、コネクタ並びに光ケーブルの配置処理を安全に行うことができ、光通信の特性を十分満足でき、配線工事での工数も少なく光ケーブル定着性も強固にできて、光通信端末機器類への接続配線取扱いも著しく簡便化でき、配線工事の適正化にも寄与できる。
【００１４】
また、請求項２の発明では、ケース本体の光ケーブル導出入部が、テーパー状に外側に向かって隙間が漸増する湾曲対向面を有し、該対向面によって光ケーブル導出入部に通過する光ケーブルを把持することで、光ケーブルがコネクタ収納ケースの光ケーブル導出入部を通るときに心線に対する引張衝撃などをも確実に防止できコネクタから心線が極端に曲がってしまうのを湾曲面でガイドして安全な配線ができ、しかも心線の保持も緩衝的に行われているので、心線に弛みが生じないし、光ケーブルの屋内配線固定が確実にでき光ケーブルに無理な屈曲や小円弧が発生することなく光損失をなくして伝送特性を良好に保つことができる。
【００１５】
さらに請求項３の発明では、前記ケース本体が、断面略Ｕ字状にプラスチックにより形成され、その底面に弾性的に変曲する舌片状の係止部材を持った連結部を一体成形し、該係止部材を前記カバー体に形成したポケット状の係止受け部に係脱自在に嵌合保持するスライド式着脱構成としたことにより、複数の光ケーブルを個々のコネクタ収納ケースに収納して段積み使用ができ、その連接作業も簡便で各配線の干渉もなくした安全な配線が可能であり、簡単な操作で光ケーブルの固定ができ信頼性のある配線接続作業が行え、配線工事の適正化と、配線管理の安全性とを図ることができる。
【００１６】
また、請求項４、請求項５および請求項６の発明によれば、光通信端末機器類への接続配線取扱を著しく簡便化でき、しかもコネクタ及びアダプタとからなる接続部のケース本体への収納が収まり良くでき収納取扱いにも余裕があり、配線固定も容易で安定した状態での配置ができ、室内での体裁を良好にすると共に、光通信を利用するときに簡単な操作でその端末を着脱自在に接続することができ、光ケーブル固定も確実にでき、安全性を高め信頼性のある光ケーブル接続が可能となる。
【発明を実施するための最良の形態】
【００１７】
以下、本発明に係るコネクタ収納ケースについて図面を参照して説明する。図１（ａ）はコネクタ収納ケースの外観斜面図であり、図１（ｂ）〜（ｄ）はそれぞれカバー体を取り除いて内部を示し、コネクタの異なる形態の例を用いた使用状態の平面図である。図２（ａ）〜（ｄ）はケース本体の平面図、側面図、底面図及びＡ−Ａ線における断面図であり、図３（ａ）〜（ｃ）はケース本体の平面図、側面図及び、図２のＨ−Ｈ線の断面図で、図４（ａ）〜（ｅ）は図２のＢ−Ｂ線、Ｃ−Ｃ線、Ｄ−Ｄ線、Ｅ−Ｅ線、Ｆ−Ｆ線、Ｇ−Ｇ線における各断面図であり、図５はカバー体の平面図、側面図、底面図及びＡ−Ａ線における断面図である。また、図６（ａ）〜（ｄ）はカバー体の右側面図、左側面図、図５におけるＢ−Ｂ線、Ｃ−Ｃ線における各断面図であり、図７はコネクタ収納ケースのカバー体とケース本体との連接状態を示す縦断面図、図８はコネクタ収納ケースの段積み使用状態の側面図、図９はコネクタ収納ケースと端末機器に接続される端末引き込み光ケーブルとの接続状態を示す説明図である。
【００１８】
本実施形態は図１に示すように、壁面固定手段のネジ取付孔１１を両側に備えたケース本体１に、他のコネクタ収納ケースのケース本体１を係脱する連接部１２を設けたカバー体２を着脱自在に被覆装着したものから構成される。このケース本体１は、図１〜図４に示すように、アダプタａを着脱自在に収納するアダプタ収納部２と、該アダプタａに接続されるコネクタｂを着脱自在に収納するコネクタ収納部４と、該コネクタｂに接続する光ケーブルｃまたはインドア光ケーブル、光コードなどを導出入する光ケーブル導出入部５とをケース本体１に配列形成してあり、該ケース本体１の両側に形成した位置決め用の嵌挿用ガイド凹部６にカバー体２を着脱自在に被覆装着してケース本体１内のアダプタａとコネクタｂとを前記光ケーブル導出入部５内の光ケーブルｃとともに拘持されるようになっている。
【００１９】
前記アダプタ収納部３としては、アダプタａのフランジ部を嵌入する凹部を両側に有してケース本体１の一端に設けてアダプタａの接続端部がケース体内外に突出できるようにしてあり、外側の接続端部は端末機器に接続される端末引き込み光ケーブルのコネクタ接続可能とし、内側の接続端部はドロップ光ケーブルのコネクタｂとのコネクタ接続可能とするのがよい。またケース本体１の他端に設けた前記光ケーブル導出入部５としては、テーパー状に外側に向かって隙間ｄが漸増する湾曲対向面５１  を有し、該対向面５１  によって光ケーブル導出入部５に通過する光ケーブルｃを把持すると共に、コネクタｂから心線が極端に曲がってしまうのを湾曲面でガイドして安全な配線ができるようにしてある。
【００２０】
さらに、前記ケース本体１は図２〜図４に示すように断面略Ｕ字状にプラスチックにより形成され、その底面に弾性的に変曲する係止突起７１  のある係止片７と、前記カバー体２に設けたポケット状の係止受け部からなる連接部１２に挿入される舌状の係止部材８とが一体成形され、ケース本体１をカバー体２の上にスライド式に着脱できるように構成して、複数のコネクタ収納ケースを段積み状態に連接できるようにしてある。          
【００２１】
また、前記ケース本体１に設けた壁面固定手段としては、壁面取付用のネジ取付孔１１によってネジ止めするか或いは鉄材面に吸着する磁石からなる構成とするのがコネクタ収納ケースの取扱作業が簡便でよい。この壁面取付用の固定手段としてスチールデスク、パネルなどの鉄材面に吸着する磁石或いは、屋内壁面またはデスクなどに取付けやすくしてあるが、ネジによりネジ止めできる壁面取付片を付設することもできる。
【００２２】
さらにまた、このコネクタ収納ケースにおいて、図５〜図６に示すように前記カバー体２は、前記ケース本体１の表面開口部を被覆する断面逆Ｕ字状に形成したプラスチック材の蓋体であって、ケース本体１に設けたアダプタ収納部３を嵌挿する嵌合部１３を一端に備え、ケース本体１の両側に設けた複数のガイド凹部６にそれぞれ嵌挿係脱できる位置決めフランジ片９を両側に一対づつ４個突設してケース本体１に着脱自在に被覆装着して、ケース本体１内のアダプタａとコネクタｂとを前記光ケーブル導出入部５内の光ケーブルｃとともにを拘持定着できるようにしてあり、カバー体２の上面に設けたロック爪１０と、ポケット状の係止受け部からなる連接部１２とに、ケース本体１に備えられる係止突起７１  のある係止片７と、舌状の係止部材８とが係脱できるように構成されている。
この場合、ケース本体１をカバー体２の上にスライド式に着脱できる構成として、図７の如く、ケース本体１とカバー体２とに対応した位置に係脱機構を設けて外れ防止で定着性を確実にし、取り外しも簡便にできる構成を選んで設けることができるし、さらに、必要に応じケース本体１とカバー体２とに対向配備した係止用凹凸の係止部で係脱できるようにして、カバー体２のケース本体１に対する脱着がしやすくするのもよく、いずれにしても複数のコネクタ収納ケースを段積み状態に連接できるようすることができることが配慮される。（図８）
【００２３】
なお、前記カバー体２としては、前記ケース本体１のアダプタ収納部３を被覆する嵌合部１３を一端に有し、両端に突設した位置決めフランジ片９によって、前記ケース本体１の両側に設けた係止凹部６に係脱自在に装着することで、カバー体２の内壁に突設した爪片１４をケース本体１に備えた係止孔１５に挿脱してケース本体の表面開口部を被覆保持したり取り外したりして配線固定が容易で、しかもアダプタａ付きコネクタｂも安定した状態での保護配置ができ、室内での体裁を良好にすると共に、取付け配線工事も簡単な操作で行えて端末機器類への接続の簡便化が図れる。（図２、図５及び図６）
【００２４】
この例では、前記ケース本体１とカバー体２とからなるコネクタ収納ケースを用いる際に、光ケーブルｃまたはドロップ光ケーブル、光コードなどに接続されたコネクタｂをアダプタａに接続連結した状態でケース本体１のアダプタ収納部３、コネクタ収納部４及び光ケーブル導出入部５に入れてカバー体２を被覆抱持し、アダプタ収納部３に収納されたアダプタａに接続されるコネクタ１７のある光ケーブルがスプリッタ１６を介して複数に分岐した光ケーブルにそれぞれ接続されるコネクタ１８で端末機器（図示せず）に接続されて用いられる。（図９）
【００２５】
以上の構成からなるコネクタ収納ケースにおいて、ケーブル導出入部５の開口部から入る光ケーブルｃは、湾曲対向面５１  で挟持された状態で光ケーブル導出入部５に嵌挿され、カバー体２を被覆すれば確実に拘持される。
そして、この光ケーブルｃを支持したケース本体１を建物室内壁面に固定手段によって据え付ければ簡単な操作で、フロアへの取付配線工事を行うことができるし、ケース本体２にカバー体４を被覆結合して光ケーブルの接続部３が外側に露出しないようにして保護し、体裁上見ばえのよい状態として用いることができるほか、保守或いは光ケーブル分離時に、光ケーブルの脱着が容易に行え配線の便宜を図ることができる。
【００２６】
かくして、実施例のコネクタ収納ケースを用いれば、光ケーブルの配線作業を容易にし、配線工事での工数も少なく光ケーブル固定も迅速にでき、光通信端末機器類への接続配線取扱いも著しく簡便化でき、配線工事の適正化に寄与し、配線の適宜を図ることができ、光ケーブルがケース本体のケーブル導入部を通るときに心線に対する引張衝撃などをも確実に防止でき、各配線の干渉もなくした安全な配線ができるし、配線管理や組立分離作業も容易に行えて、信頼性も高められる。
さらにまた、実施例によれば、光ケーブルのケース本体への収納が収まり良くでき収納取扱いにも余裕があり、しかも心線の保持も緩衝的に行われているので、心線に弛みが生じないし、ケーブルの屋内配線固定が確実にできケーブルに無理な屈曲や小円弧が発生することなく光損失をなくして伝送特性を良好に保つことができるほか、光通信を利用するときに簡単な操作でその端末を着脱自在に接続することができ、取付け配線工事も体裁良好で安全に行うことができる。
【図面の簡単な説明】
【００２７】
【図１】本発明の実施例を示すコネクタ収納ケースを示し、（ａ）はコネクタ収納ケースの外観斜面図（ｂ）〜（ｄ）はそれぞれカバー体を取り除いて内部を示し、異なるコネクタ形態の例を用いた使用状態の正面図である。
【図２】図１で用いられるケース本体を示し、（ａ）はその平面図、（ｂ）はその側面図、（ｃ）はその底面図、（ｄ）はＡ−Ａ線における断面図である。
【図３】図２で用いられるケース本体を示し、（ａ）はその左側面図、（ｂ）はその右側面図、（ｃ）はＨ−Ｈ線における縦断面図である。
【図４】図２で用いられるケース本体の縦断面を示し、（ａ）はＣ−Ｃ線における断面図、（ｂ）はＤ−Ｄ線における断面図、（ｃ）はＥ−Ｅ線における断面図、（ｄ）はＦ−Ｆ線における断面図、（ｅ）はＧ−Ｇ線における断面図である。
【図５】図１で用いられるカバー体を示し、（ａ）はその正面図、（ｂ）はその側面図、（ｃ）はその底面図、（ｄ）はＡ−Ａ線における断面図である。
【図６】図５で用いられるケース本体を示し、（ａ）はその左側面図、（ｂ）はその右側面図、（ｃ）はＢ−Ｂ線における断面図、（ｂ）はＣ−Ｃ線における断面図である。
【図７】本実施例のコネクタ収納ケースのカバー体とケース本体との連接状態を示す縦断面図である。
【図８】本実施例のコネクタ収納ケースの段積み使用状態の側面図で或る。
【図９】本実施例のコネクタ収納ケースと端末機器に接続される端末引き込み光ケーブルとの接続状態を示す説明図である。
【符号の説明】
【００２８】
ａ    アダプタ
ｂ    コネクタ
ｃ    光ケーブル
ｄ    間隙
１    ケース本体
２    カバー体
３    アダプタ収納部
４    コネクタ収納部
５    光ケーブル導出入部
５１  湾曲対向面
６    嵌挿用ガイド凹部
７    係止片
７１  係止突起
８    係止部材
９    位置決めフランジ片
１０    ロック爪
１１    ネジ取付孔
１２    連接部
１３    嵌合部
１４    爪片
１５    係止孔
１６    スプリッタ
１７    コネクタ
１８    コネクタ
【図１】
2010091901.tif 000003
【図２】
2010091901.tif 000004
【図３】
2010091901.tif 000005
【図４】
2010091901.tif 000006
【図５】
2010091901.tif 000007
【図６】
2010091901.tif 000008
【図７】
2010091901.tif 000009
【図８】
2010091901.tif 000010
【図９】
2010091901.tif 000011